(57)【要約】【課題】  信号柱、電柱等支柱が地表面付近で腐食し鋼断面が欠損して強風、自動車の衝突により折損事故が起こっているが、支柱の安全確保のため地表面付近の断面補強が緊急の課題である。【解決手段】  本考案は、支柱１にコンクリート基礎２を有する場合には、支柱周囲のコンクリート基礎２に適宜間隔をおいて窄孔し、該孔にアンカー鉄筋３を挿入固定し，次に工場製品の半円形コンクリートブロック４の孔に前記アンカー鉄筋３を挿通して，支柱１を中心に一対の中空円筒体とする、半円形コンクリートブロック上面の継ぎ目を挟み、アンカー鉄筋３の頂部ネジに接合鋼板５を挿通させてナット６で固定、ブロックと支柱およびブロックの隙間には接着剤等の固定部剤を充填して固定し一体構造とする。【選択図】図１
0003141110.tif 000002
【実用新案登録請求の範囲】
【請求項１】
コンクリート基礎を有し地表部が腐食して断面欠損した支柱に関して、支柱周囲のコンクリート基礎に適宜間隔をおいて窄孔し、該孔にアンカー鉄筋を挿入固定し、次に半円形コンクリートブロックの孔に前記アンカー鉄筋を挿通し前記支柱を中心にして周囲を囲う状態にして、一対の半円形コンクリートブロックを配置し、半円形コンクリートブロック上面にブロック継ぎ目を挟み、接合鋼板をネジ付アンカーに挿通して、頂部をナットを固定し、支柱とブロックの隙間、ブロック間の隙間及びブロックと基礎の隙間に固定部剤を充填して固定することを特徴とした支柱補強構造。
【請求項２】
土中に埋設されコンクリート基礎を有さないで地表部および土中部が腐食して断面欠損した支柱に関して、土中部を掘削して支柱周囲に一対の半円形コンクリートブロックを配置し、該ブロックの下面に接合鋼板、ネジ付アンカー鉄筋、ナットを取り付け１体の基礎とし、地表部は、前記アンカー鉄筋を半円形コンクリートブロックの孔に挿通して、一対の半円形コンクリートブロックを配置し、該ブロックの上面に接合鋼板をブロック継ぎ目を挟み、ネジ付アンカー鉄筋に挿通して頂部をナットで固定し、支柱とブロックの隙間及びブロック間の隙間に固定部剤を充填して固定することを特徴とした支柱補強構造。
【考案の詳細な説明】
【技術分野】
【０００１】  本考案は信号支柱、照明柱、電柱等の地表部及び土中部において、腐食により鋼材断面が不足して外力に対する抵抗力が低下した支柱の補強構造に関するものである。
【背景技術】
【０００２】  支柱等は、鋼管柱又は鉄筋コンクリート柱が用いられているが、経年変化により、支柱は地表部及び地中部において局部的に鋼材が腐食して、鋼材断面が不足して強風、車両の衝突等の外力により倒壊することがあり、市街地では人命に関わる事故が発生している。老朽化した支柱は早急に取替えがのぞましいが、人込みの市街地においては作業上の制約があり、費用と時間がかかるなど問題点が多い。このため、既存支柱の強度低下部分を補強して安全、安心に長期間使用可能とするための補強構造が要望されている。
【考案の開示】
【考案が解決しようとする課題】
【０００３】  老朽化した支柱は取替えが行われているが、市街地においては機材の運搬、建込みは大型機械が必要となり、安全確保のために交通規制も行わねばならず、大掛かりな作業となる。この解決策として、既設支柱の腐食により抵抗力が不足している部分は、地表部及び土中部に限られているので、この部分を鋼材又は鉄筋コンクリート、繊維補強コンクリートを用いて根巻補強することにより、強風等の外力に対して十分安全な支柱とすることが出来る。本案は、補強部材を工場製作し、現地においてはこの補強部材を人力により組み立てるだけとし、現場作業の時間短縮、省力化を図るものである。
【課題を解決するための手段】
【０００４】  本考案は工場製品の補強部材を現地に搬入して、人力作業によりアンカー鉄筋、半円形コンクリートブロックを組み立て、各接合部の隙間は樹脂モルタル、接着剤等を充填して一体化させることにより、断面欠損している地表部および土中部の支柱を補強して、外力に対する安全性を確保する。
【考案の効果】
【０００５】  上述のように、工場製品を現地に搬入して人力による組み立てを行うので、大型機材を必要とせず、短期間に安全で経済的に支柱等の補強が可能である、全国的に見れば危険な支柱等は多数散在しているが、本案によれば比較的少ない費用で短期間に住民の安全安心を確保できる。
【考案を実施するための最良の形態】
【０００６】  支柱補強には、▲１▼支柱が土中でコンクリート基礎で根巻きされている場合、▲２▼支柱が土中にそのまま埋め込まれている場合とがある。
▲１▼の場合は、コンクリート基礎の支柱周囲に適宜間隔を置いて穿孔し、該孔にアンカー鉄筋を挿入、固定する。次いで一対の半円形プレキャストコンクリートブロックの孔を前記アンカー鉄筋に挿通して、固定部剤を充填して固定し、支柱周囲に中空円柱体を形成する、さらに、支柱と円柱体の隙間、コンクリートブロックの隙間には固定部材を充填して支柱と一体化する。次に半円状ブロック相互の隙間を挟んで、接合鋼板をアンカー鉄筋に挿通して頭部をボルトで固定し一体化する。
▲２▼の場合は、地表部を掘削して基礎部として一対の半円形コンクリートブロックを支柱周囲に配置し、該ブロックの下面には接合鋼板、アンカー鉄筋を取り付け、隙間に固定部剤を充填固定し一体の基礎とする。次に▲１▼と同様に、基礎部と連結して地表部に１対の半円形コンクリートブロックを支柱周囲に配置し、アンカー鉄筋、接合鋼板で組み立て、隙間には固定部剤を充填して支柱周囲を固定し一体化する。
以上により、支柱は半円形ブロック等により固定一体化されるのて、強風等により折損することはない。固定部剤としては樹脂系の接着剤、モルタル等が好ましい。
【実施例】
【０００７】  以下添付図面に従って実施例を説明する。実施例１は請求項１に係る発明を包含し、実施例２は請求項２に係る発明を包含する。
【実施例１】図−１において、１は信号、電柱等の鋼管支柱、１ａは腐食による断面欠損部。２は支柱の基礎。３はアンカー鉄筋、３ａは基礎２の窄孔とアンカー鉄筋３の隙間に入る固定部剤、３ｂは４とアンカー鉄筋３の隙間に入る固定部剤。４は半円形コンクリートブロック。ブロック上面の接合鋼板５の孔にアンカー鉄筋３を挿通させ、３の上端部はねじ切りしてあり、ボルトナット６により結合させる。７ａは半円形コンクリートブロック４と支柱１との隙間に固定部剤７を充填する。８は地表面
図−２は半円形コンクリートブロックを高さ方向に２分割した場合、自重が軽くなり人力施工が容易になる。半円ブロックは１段と２段とで９０度ずらすと継ぎ目が分散するので強度的に優れている。その他は図−１と同様である。
【実施例２】
【０００８】  図−３は支柱９が鉄筋コンクリートの場合、先ず地中部を半円形コンクリートブロック４の入る深さに掘削して、半円形コンクリートブロック４の下面にアンカー鉄筋３、接合鋼板５、ボルトナット６を取り付ける、それぞれの隙間には固定部剤３ａ，３ｂ，７ａを充填する。地表面上は図−１と同様に施工する。
【図面の簡単な説明】
【０００９】
【図１】Ａは本考案の実施例１に係る支柱補強構造を示す正面図であり、ＢはＡのＢ−Ｂ線断面図、ＣはＡのＣ−Ｃ線断面図、ＤはＡのＤ−Ｄ線断面図である。
【図２】Ａは本考案の実施例１に係る支柱補強構造で半円形コンクリートブロックの高さを２分割した場合の支柱補強構造を示す正面図であり，ＢはＡのＢ−Ｂ線断面図、ＣはＡのＣ−Ｃ線断面図である。
【図３】Ａは本考案の実施例２に係る支柱補強構造を示す正面図であり，ＢはＡのＢ−Ｂ線断面図、ＣはＡのＣ−Ｃ線断面図、ＤはＡのＤ−Ｄ線断面図である。
【符号の説明】
【００１０】  １  鋼管支柱
１ａ鋼管支柱の断面欠損部
２  コンクリート基礎
３  アンカー鉄筋
３ａ基礎の窄孔とアンカー鉄筋との隙間に入れる固定部剤
３ｂ半円形コンクリートブロックの孔とアンカー鉄筋との隙間に入れる固定部剤
４  半円形コンクリートブロック
５  接合鋼板
６  アンカー鉄筋上端部ネジに取り付けるナット
７  支柱と半円形コンクリートブロックとの隙間に入れる固定部剤
７ａ，７ｂ，７ｃ  半円形コンクリートブロック継ぎ目部の隙間に入れる固定部剤
８  地表面
９  鉄筋コンクリート支柱
９ａ鉄筋コンクリート支柱の断面欠損部
【図１】
0003141110.tif 000003
【図２】
0003141110.tif 000004
【図３】
0003141110.tif 000005